(57)【要約】【課題】  遊技球の振分け結果を予測することが困難となっている遊技球の振分け機構を提供する。【解決手段】  本発明による遊技機における遊技球の振分け機構は、遊技盤上に打出された遊技球を当り受入部若しくは外れ排出部に振分ける遊技球の振り分け機構であって、該遊技球のうちの入賞球を導く導入部と、該導入部と該当り受入部との間に設けられて磁力が供給されている限り該導入部を経由した遊技球を保持しつつ該外れ排出部を経て該当り受入部に向けて搬送し得る搬送部と、該搬送部に対して選択的に磁力を供給する磁力供給部と、を含む。【選択図】  図２
2006334091.tif 000002
【特許請求の範囲】
【請求項１】
遊技盤上に打出された遊技球を当り受入部若しくは外れ排出部に振分ける遊技球の振り分け機構であって、
前記遊技球のうちの入賞球を導く導入部と、
前記導入部と前記当り受入部との間に設けられて磁力が供給されている限り前記導入部を経由した遊技球を保持しつつ前記外れ排出部を経て前記当り受入部に向けて搬送し得る搬送部と、
前記搬送部に対して選択的に磁力を供給する磁力供給部と、を含むことを特徴とする遊技球の振分け機構。
【請求項２】
前記搬送部は縁部に遊技球を受容する複数の溝部が設けられている回転体を含むことを特徴とする請求項１記載の遊技球の振分け機構。
【請求項３】
前記回転体は円盤状体であることを特徴とする請求項２記載の遊技球の振分け機構。
【請求項４】
前記搬送部は支持板と遊技球の押出し部材とを含むことを特徴とする請求項１乃至３のいずれか１に記載の遊技球の振分け機構。
【請求項５】
前記支持板は円状板であり、
前記押出し部材は前記円状板の中心に回動自在に配置されている中心軸と前記中心軸から放射状に伸長しかつ前記円状板の上方に配置されている複数の押出片とを含む回転部材であることを特徴とする請求項４記載の遊技球の振分け機構。
【請求項６】
前記磁力供給部は出没自在の永久磁石若しくは電磁石を含むことを特徴とする請求項１乃至５のいずれか１に記載の遊技球の振分け機構。
【請求項７】
前記磁力供給部はＣ字断面の磁極端部を有するコアを含むことを特徴とする請求項１乃至６のいずれか１に記載の遊技球の振分け機構。
【発明の詳細な説明】
【技術分野】
【０００１】
本発明は、遊技球の振分け機構に関し、特に遊技球を移動せしめる移動手段と磁力による遊技球の吸着手段とを組み合わせた遊技球の振分け機構に関する。
【背景技術】
【０００２】
従来、遊技機にはいわゆる役物と呼ばれる入賞装置に供給される遊技球の振り分け先の善し悪しを遊技のポイントにするものが知られている。より具体的に記載すると、かかる遊技機は、所定の入賞口を通過した遊技球を振分け機構で複数の通路のうちのいずれかに振り分けて、特定の通過口を遊技球が通過したときに、所定数の賞球を払い出したり、特定遊技を開始したり、あるいは遊技盤面に設けられた表示部の遊技画像の変動を開始したりするのである。
【０００３】
かかる振分け機構としては、振分けを行う構造体の形状を利用するもの、磁石を利用するもの、モーター等の電気的駆動手段を用いるもの、あるいはこれらを組み合わせたものがある。近年、遊技球を構造体の形状によって遊技球の流れを変化させるとともに、遊技球の振分け先を電気的に制御するために、電気的駆動手段が多用された振分け機構が主に開発されている。
【０００４】
たとえば、モーター等の電気的駆動手段と構造体とを組み合わせたものとして、回転円盤体を用いた振分け機構が知られている（特許文献１および２参照）。特許文献１に記載の振分け機構は、回転円盤体と、該回転円盤体に向けて遊技球を導く導入部と、該回転円盤体を回転せしめる回転機構と、を有している。該回転円盤体は、円周方向に沿って一列に設けられた複数の第１の孔部と、回転中心に設けられた第２の孔部と、半径方向に伸長していて縁部から該第２の孔部に向かって遊技球を誘導する１筋の誘導溝と、を有している。また、かかる第１および第２の孔部に対してそれぞれに対応した第１および第２の通路が設けられている。当該振分け機構は、回転駆動部によって回転円盤体を回転せしめて、かかる回転円盤体に向かって供給された遊技球を第１又は第２の孔部に導く。すなわち、当該振分け機構は、回転円盤体を用いて第１又は第２の通路に振分けている。
【０００５】
特許文献２に記載の振分け機構は、鉛直方向に対して回転軸を垂直に配置した回転円盤体と、該回転円盤体の外周を囲むガイド枠と、該回転円盤体を一方の方向に回転させるモーターと、を含んでいる。該ガイド枠は、該回転円盤体の上方に球導入路、該回転円盤体の下方に球落下路、ならびに該回転円盤体の下方部の外側左右位置に第１および第２の球流出路を備えている。該回転円盤体には、縁部から半径方向に沿って刻まれた垂直凹部と、縁部から半径方向に向かった後に折れ曲がって「く」の字状に形成されている第１の曲折凹部と、縁部から半径方向に向かった後に折れ返って「Ｊ」字状に形成されている第２の曲折凹部と、が設けられている。該回転円盤体は、モーターによる回転運動により、球誘導路を通過した遊技球を垂直凹部、第１または第２の曲折凹部の何れかに収容することができる。一旦収容された遊技球は、収容された凹部の形状に応じて球落下路、第１および第２の球流出路に導かれる。すなわち、垂直凹部に収容された遊技球は第１の球流出路に導かれ、第１の曲折凹部に収容された遊技球は球落下路に導かれ、第２の曲折凹部に収容された遊技球は第２の球流出路に導かれるようになっている。
【特許文献１】特開平１０−７６０５４号公報
【特許文献２】実開昭６０−１３８５８２号公報
【発明の開示】
【発明が解決しようとする課題】
【０００６】
上記した何れの振り分け機構とも、回転円盤体の形状に応じて遊技球が振分けられる構成となっている。その結果、かかる振分け機構が備えられた遊技機の操作者は、遊技球が振分け先の各通路を通過する前に、回転円盤体における遊技球の位置に応じて最終的な振り分け先をほぼ予想することができるという問題があった。
【０００７】
すなわち、遊技球が最終的な振分け先の通路を通過する前に、振分け結果が操作者に予想されることとなり、また、回転円盤体における遊技球の位置が遊技者にとって不利な結果を提供することを操作者に予想させると、最終結果が得られる前の早い段階で当該遊技球の振分け先に対する遊技者の関心が失われてしまう。結果的に、遊技機に対する魅力が低下することとなっていた。
【０００８】
本発明は上述した問題点が一例として挙げられる課題を解決するためになされたものであり、遊技球が振分け先の通路を通過するまで振分け結果を予想することが困難な遊技球の振分け機構を提供することを目的としている。
【課題を解決するための手段】
【０００９】
本発明による遊技球の振分け機構は、遊技盤上に打出された遊技球を当り受入部若しくは外れ排出部に振分ける遊技球の振り分け機構であって、該遊技球のうちの入賞球を導く導入部と、該導入部と該当り受入部との間に設けられて磁力が供給されている限り該導入部を経由した遊技球を保持しつつ該外れ排出部を経て該当り受入部に向けて搬送し得る搬送部と、該搬送部に対して選択的に磁力を供給する磁力供給部と、を含むことを特徴とする。
【発明を実施するための最良の形態】
【００１０】
以下、本発明による遊技球の振分け機構について、添付図面を参照しつつ詳細に説明する。なお、下記実施例は、いわゆる第２種遊技機と称される遊技機について説明しているもののこれに限定されない。
（実施例１）
図１に示す如く、遊技機１は、縦長な方形状の枠組にて構成され遊技機の設置場所に強固に固定される外枠２と、外枠２に一側を保持され且つ外枠２に対して開閉自在に設けられた表枠３と、表枠３に開閉自在に設けられている透明ガラス枠４および扉枠５と、を備えている。
【００１１】
表枠３には、盤面が遊技領域とされる遊技盤６が設けられている。表枠３の下方には、遊技機に供給すべき弾球（以下、遊技球とも称する）を一時貯留する上皿７、遊技機１より賞球として排出された弾球の一部を貯留する下皿８、弾球を遊技盤の上部に打ち出す弾球打出機構（図示せず）、弾球打出機構を操作するための操作ハンドル９が設けられている。また、遊技機１の背面には、遊技機の各種装置を制御する電子制御装置（図示せず）が設けられている。
【００１２】
遊技盤６はその下部左右と下部中央との３箇所に始動口１０が設けられている他、図示しない釘や風車等が設けられている。また、遊技盤６のほぼ中央には、複数の入賞領域を有する変動入賞装置１１（いわゆる特別電動役物）が備えられている。変動入賞装置１１は、当該機構内への遊技球の通過の可否を振り分ける羽根部１２を有している。羽根部１２は遊技球が始動口１０を通過することを契機として開閉することとしても良い。羽根部１２が開状態にあるときに、遊技球を変動入賞装置１１内に導くことができる。遊技盤６上に打出された遊技球のうち羽根部１２を通過した遊技球は、入賞球となって誘導路（図示せず）を介して遊技球の振分け機構１３に導かれる。振分け機構１３は、図１には図示しない複数の通路、すなわち当り受入部若しくは外れ排出部の何れかに遊技球を振り分ける搬送部を構成する円盤状体１４を含んでいる。
【００１３】
図２に示す如く、遊技球の振分け機構１３は、変動入賞装置１１の該誘導路に連通していて入賞球を導く導入部１５を備えている。導入部１５は、該誘導路に連結していて傾斜面を有する傾斜樋状部１５ａと傾斜樋状部１５ａから鉛直方向に遊技球を導く鉛直筒状部１５ｂとを有している。
【００１４】
導入部１５の下方には、搬送部１６が配置されている。搬送部１６は、円盤状体１４と、円盤状体１４を回転自在に支持するベース１７と、を含んでいる。円盤状体１４は、縁部に遊技球を受容する複数の溝部１４ａが設けられている回転体であり、第２の駆動手段（図示せず）によって回転する。溝部１４ａは円盤状体１４の半径方向に沿って放射状に外縁へと伸長しており、また、溝部１４ａの底部１４ｂは円盤状体の中心から外縁へと遊技球を転落せしめる傾斜面となっている。なお、鉛直筒状部１５ｂの球排出開口１５ｃは、かかる溝部１４ａに遊技球が供給されるように、円盤状体１４の縁部の近傍に配置されている。
【００１５】
円盤状体１４の外周には当り受入部１８および外れ排出部（図示せず）が配置されており、当り受入部１８および外れ排出部（図示せず）によって円盤状体１４の外縁が囲繞されている。当り受入部１８は、鉛直筒状部１５ｂの近傍から離れた位置、すなわち鉛直筒状部１５ｂの近傍の縁部からは円盤状体１４の円周方向において離れた位置に配置されている。換言すれば、搬送部１６は導入部１５と当り受入部１８との間に設けられている。当り受入部１８は、遊技球が通過する受入球通過開口（図示せず）を有する受入球通路１８ａと、当り受入部１８の近傍において円盤状体１４の溝部１４ａから転落した遊技球を支持しかつ該受入球通過開口に遊技球を導く傾斜部１８ｂと、を有している。外れ排出部は、説明を簡単にするために図２においては省略しているものの、該外れ排出部の近傍において円盤状体１４の溝部１４ａから転落した遊技球が通過する排出球通過開口（図示せず）と排出球通路（図示せず）とを備えている。
【００１６】
すなわち、図３に示す如く、円盤状体１４の外周は、当り受入部１８および外れ排出部１９によって囲まれており、溝部１４ａから転落した遊技球は当り受入部１８の傾斜部１８ｂ又は外れ排出部１９の排出球通過開口１９ａの何れかを通過するようになっている。外れ排出部１９の排出球通過開口１９ａは一般入賞口となっている。また、排出球通過開口１９ａを通過した遊技球が案内される排出球通路（図示せず）には、球検知センサ（図示せず）が設けられている。当該センサが遊技球を検知することを契機として、所定数の賞球が払い出されるようになっている。
【００１７】
一方、当り受入部１８の受入球通過開口１８ｃは特定入賞口となっており、受入球通路１８ａにも球検知センサ（図示せず）が設けられている。遊技球が受入球通路１８ａを通過したことを該球検知センサが検知すると、遊技機は遊技者に有利な特定遊技状態（大当り遊技状態とも言う）を提供するようになっている。ここで特定遊技状態とは遊技機が短時間に大量の賞球を払い出させるチャンスを遊技者に付与している状態をいい、例えば、羽根部を複数回にわたって開閉させて遊技球を変動入賞装置内へ導きやすくしている状態をいう。
【００１８】
円盤状体１４は、その周縁部の近傍に配置されかつ円周方向に沿った形状の帯状の磁性吸着領域１４ｃを有している。かかる磁性吸着領域１４ｃは、円環の一部が欠けて「Ｃ」字状となっている。磁性吸着領域１４ｃの一方の端部は鉛直筒状部１５ｂの球排出開口１５ｃ（図３中点線で示す）の下方に配置されており、他方の端部は当り受入部１８の近傍に配置されている。磁性吸着領域１４ｃは、永久磁石などの磁力を供給する手段（図示せず）を円盤状体１４の下方、すなわち円盤状体１４を支持するベース１７側に配置することが出来るようになっている領域であり、円盤状体１４の当該領域に対応する形状の磁力を供給する手段が配置されている。なお、磁性吸着領域１４ｃはベース１７に対して固定された領域となっており、円盤状体１４の回転に応じて移動しない。すなわち、磁性吸着領域１４ｃの一方の端部は常時球排出開口１５ｃの下方に配置されており、他方の端部は常時当り受入部１８の近傍に配置されている。また、当該領域に対する磁力の供給は、磁力を供給する手段を備えている磁力供給部（図示せず）を用いて行う。該磁力供給部は、以下に説明するように搬送部１６に対して選択的に磁力を供給する構造を有している。
【００１９】
図４に示す如く、磁力供給部２０は、断面形状がＣ字型となるように円筒の長手方向にスリットが設けられた半筒状の永久磁石２１と、永久磁石２１を支持しかつ断面形状が永久磁石２１の断面と同一に形成された磁石支持部２２と、を有している。なお、図４中、説明を簡単にするために、当り受入部１８および外れ排出部１９の双方を省略している。永久磁石２１は、Ｃ字断面の磁性端部を有しているコアとなっている。すなわち、永久磁石２１のＣ字型の両端面は互いに異なる磁極となっている。永久磁石２１と磁石支持部２２は、磁性吸着領域１４ｃの下方に配置されている。磁石支持部２２は、磁力供給部２０を構成する第１の駆動手段２３によって上下に移動するようになっている。すなわち、永久磁石２１は出没自在になっている。第１の駆動手段２３は、ソレノイド２４を含む。ソレノイド２４は、筒状に巻き上げられた励磁コイル（図示せず）と該励磁コイル内に挿通された金属製の心棒２４ａと心棒２４ａを該励磁コイルの一側方に付勢するスプリング（図示せず）と該励磁コイル及び心棒２４ａなどを内包するケース２４ｂとからなる。通常、該励磁コイル内に挿通された心棒２４ａはケース２４ｂ内に設けられた該スプリングによってケース２４ｂ内に格納されている。また、該励磁コイルに励磁電流を入力した場合には、該励磁コイルが磁化されて心棒２４ａをケース２４ｂ外へと突き出す構造となっている。第１の駆動手段２３の駆動は遊技機の電子制御装置２５からの制御信号に応じて行われる。なお、第１の駆動手段２３は、回転モーターと該回転モーターの回転数を変更する変速ギアと該変速ギアと連結したカムとを含むカム機構としても良い。
【００２０】
永久磁石２１と磁石支持部２２の筒状部内側には、長手状の回転連結軸２６が挿設されている。回転連結軸２６の一方の端部は円盤状体１４の中心と結合し、他方の端部は第２の駆動手段２７と結合している。第２の駆動手段２７は例えば回転モーターからなる。第２の駆動手段２７の駆動は遊技機の電子制御装置２５によって制御されており、第２の駆動手段２７の回転運動は回転連結軸２６を介して円盤状体１４に伝達されるようになっている。すなわち、第２の駆動手段２７を駆動せしめることによって、円盤状体１４は、回転連結軸２６を中心軸として回転するようになっている。
【００２１】
図４に示すように、第１の駆動手段２３は電子制御装置２５からの駆動開始信号を受けて作動し、ソレノイド２４の心棒２４ａが磁石支持部２２を上方に持ち上げる。永久磁石２１が円盤状体１４の近傍に配置されると、円盤状体１４の磁性吸着領域１４ｃに遊技球Ｂ（図中点線で示す）を吸着させるのに充分な磁力が供給される。なお、永久磁石２１が磁性吸着領域１４ｃの近傍に配置されても、円盤状体１４は回転自在になっている。
【００２２】
一方、図５に示す如く、第１の駆動手段２３は電子制御装置２５からの駆動停止信号を受けて作動し、ソレノイド２４の心棒２４ａがケース２４ｂに収容される。これに応じて、磁石支持部２２が下方に移動し、永久磁石２１が円盤状体１４から離れた位置に配置されて、磁性吸着領域１４ｃにおける磁力が弱くなる。その結果、遊技球Ｂ（図中点線で示す）を磁性吸着領域１４ｃに吸着せしめることは出来なくなり、磁性吸着領域１４ｃに配置されていた遊技球Ｂは溝部１４ａの傾斜した底部１４ｂに沿って転落して、円盤状体１４の外部へと排出される（図中、太線矢印で示す）こととなる。
【００２３】
なお、電子制御装置２５は、始動入賞口１０内に設けられた球検知センサ２８からの球検知信号を受信するようになっている。また、電子制御装置２５は、第１タイマー２９ａおよび第２タイマー２９ｂを制御しかつこれらからそれぞれ時間信号を受信するようになっている。球検知センサ２８、第１タイマー２９ａおよび第２タイマー２９ｂについては、後に詳述する。
【００２４】
次に、上記の如き構成の遊技球の振分け機構における遊技球の動きについて説明する。
【００２５】
図６（ａ）に示す如く、導入部１５の球排出開口１５ｃを通過した遊技球Ｂは、半時計回りに回転している円盤状体１４の溝部１４ａに導かれる。ここで、永久磁石２１が上方に持ち上げられて磁性吸着領域１４ｃに磁力が供給されている場合、遊技球Ｂは磁力によって磁性吸着領域１４ｃにおいて吸着して溝部１４ａ内に留まる。しかし、永久磁石２１が下方に配置されて、磁性吸着領域１４ｃに磁力が供給されていない場合、遊技球Ｂは溝部１４ａから転落して、外れ排出部１９の排出球通過開口１９ａを通過することとなる。
【００２６】
図６（ｂ）に示す如く、磁性吸着領域１４ｃに吸着された遊技球Ｂは円盤状体１４の回転に従って溝部１４ａに留まりつつ円盤状体１４の回転中心を中心に回転移動する。かかる回転移動中に磁性吸着領域１４ｃに磁力が供給されなくなると、遊技球は転落して外れ排出部１９の排出球通過開口１９ａへ導かれる。円盤状体１４上に遊技球が吸着された状態で、円盤状体１４が更に回転すると、図６（ｃ）に示す如く、遊技球Ｂは当り受入部１８の近傍にまで搬送される。ここで磁性吸着領域１４ｃに磁力が供給されなくなると、遊技球Ｂは、溝部１４ａから転落して傾斜部１８ｂに導かれ、さらに受入球通過開口１８ｃを通過する。また、磁性吸着領域１４ｃに対する磁力の供給が維持されても、磁性吸着領域１４ｃの他方の端部を境にして磁力が弱まる故、磁性吸着領域１４ｃの端部において遊技球Ｂが円盤状体１４から落下する。かかる遊技球も、傾斜部１８ｂによって受入球通過開口１８ｃに導かれることとなる。すなわち、当り受入部１８の近傍にまで搬送された遊技球Ｂは当り受入部１８に導かれることとなる。
【００２７】
以上のように、搬送部１６は、磁力が供給されている限り導入部１５を経由した遊技球Ｂを保持しつつ外れ排出部１９を経て当り受入部１８に向けて搬送し得るのである。上記した振分け機構において、遊技球の振分けは、磁力供給部２０の動作状況に応じて決定され、遊技球を当り受入部に到達させることができる溝部が円盤状体において特定されていない。すなわち、搬送部における遊技球を搬送する部材の形状によって振分け先が予め定められていない故、円盤状体に遊技球が供給された時点において遊技球の振分け先を予想することはできない。
【００２８】
なお、搬送部における回転体は、円盤状体に限定されるものではなく、縁部に遊技球を受容する溝部が設けられていて溝部から外部に遊技球を排出できる形状の物体（例えば楕円状板）であれば良い。
【００２９】
次に、遊技球の振分け機構の制御について説明する。
【００３０】
図１に示した遊技機１において、遊技球が遊技盤６上の始動入賞口１０を通過すると、始動入賞口１０内に設けられた球検知センサ２８（図４，図５参照）は電子制御装置２５（図４，図５参照）へ球検知信号を供給する。電子回路装置２５は、羽根部１２に向けて所定時間のみ開放するよう開放指令を送出する。また、電子制御装置２５は、かかる球検知信号を受信したことを契機として、図７に示す如き割り込み処理を振分け機構１３に対して実施する。
【００３１】
まず、電子制御装置２５は、第１の駆動手段２３を駆動させる時間に関する時間データＴ0と、第２の駆動手段２７を駆動させる時間に関する時間データＴ1，Ｔ2とをメモリ部（図示せず）からロードする（Ｓ１）。なお、ここでＴ0は、Ｔ1およびＴ2を加算した時間よりも長く（Ｔ0＞Ｔ1＋Ｔ2）設定されている。次に、電子制御装置２５は、第２の駆動手段２７へ向けて駆動開始信号を供給して駆動開始指令を送出する（Ｓ２）。第２の駆動手段は、かかる駆動開始信号を受信して円盤状体１４を回転させる。かかる状況において、遊技球が円盤状体１４に導かれても、円盤状体１４上に遊技球を吸着させることはできない。
【００３２】
次に、電子制御装置２５は、第１タイマー２９ａを始動させる（Ｓ３）。かかる第１タイマー２９ａは第１タイマー２９ａの始動時からの経過時間に関する情報を電子制御装置２５に連続的に供給する。ここで、第１タイマー２９ａの経過時間がＴ1となった場合（Ｓ４）、電子制御装置２５は、第１の駆動手段２３に駆動開始信号を供給して駆動開始指令を送出する（Ｓ５）。第１の駆動手段２３は電子制御装置２５からの駆動開始指令を受けてソレノイド２４内の励磁コイル（図示せず）に励磁電流を入力し、心棒２４ａがケース２４ｂ外に突き出る。このとき、心棒２４ａが磁石支持部２２を上方に持ち上げ、磁性吸着領域１４ｃに磁力が供給される（図４参照）。かかる状況において、遊技球が円盤状体１４に導かれると、当該遊技球は円盤状体１４の溝部１４ａ内に吸着される（図６（ａ）参照）。
【００３３】
続いて、電子制御装置２５は、第２タイマー２９ｂを始動させる（Ｓ６）。かかる第２タイマー２９ｂは第２タイマー２９ｂの始動時からの経過時間に関する情報を電子制御装置２５に連続的に供給する。ここで、第２タイマー２９ｂの経過時間がＴ2となるまで、振分け機構１３の動作は維持される。すなわち、円盤状体１４上に吸着された遊技球は、円盤状体１４の回転に従って、円盤状体１４上に吸着されたまま移動する（図６（ｂ）および図６（ｃ）参照）。
【００３４】
第２タイマー２９ｂの経過時間がＴ2となった場合（Ｓ７）、電子制御装置２５は、第１の駆動手段２３に駆動停止指令を送出する（Ｓ８）。駆動停止指令を受けた第１の駆動手段２３は、ソレノイド２４内の励磁コイル（図示せず）に対する励磁電流の入力を停止し、心棒２４ａがケース２４ｂ内に収容される。かかる動作に応じて、磁石支持部２２は下方に移動し、磁性吸着領域１４ｃに対する磁力の供給が終了する（図５参照）。その結果、円盤状体に吸着されていた遊技球は、溝部１４ａの底部１４ｂから落下する。ここで、第１の駆動手段２３が駆動停止した時点で、遊技球が図６（ｂ）に示す如き位置、すなわち当り受入部１８から離れた位置にある場合、遊技球は、外れ排出部１９の排出球通過開口１９ａを通過することとなる。また、第１の駆動手段２３が駆動停止した時に、遊技球が図６（ｃ）に示す如き位置、すなわち当り受入部１８の近傍にある場合、遊技球は傾斜部１８ｂに向けて落下して当り受入部１８の受入球通過開口１８ｃを通過することとなる。
【００３５】
第１タイマー２９ａの経過時間がＴ0となったこと（Ｓ９）を契機として、電子制御装置２５は第２の駆動手段に駆動停止指令を送出し（Ｓ１０）、振分け機構１３に対する割り込み処理が終了する。
【００３６】
上記したＴ1とＴ2の長さはそれぞれに対して複数設定し、これらを組み合わせたものを用いることとしても良い。例えば、Ｔ1については、Ｔ11およびＴ12を設定し、Ｔ12は遊技球が羽根部１２を通過してから導入部１５の球排出開口１５ｃに到達するまでの平均時間に等しくなっており、Ｔ11はＴ12の半分（Ｔ11≒Ｔ12／２）となっているものとする。また、Ｔ2についてはＴ21およびＴ22（Ｔ21＜Ｔ22）を設定し、Ｔ21は遊技球が円盤状体１４によって球排出開口１５ｃから当り受入部１８の近傍にまで移動するのに要する時間に等しくなっており、Ｔ21はＴ22の半分（Ｔ21≒Ｔ22／２）となっているものとする。
【００３７】
図８に示す如く、Ｔ2をＴ21に設定して固定した場合、羽根部１２が開放されてから、Ｔ11経過後に磁性吸着領域に磁力が供給されるという組み合わせ（Ｄ１−１）、およびＴ12経過後に磁性吸着領域に磁力が供給されるという組み合わせ（Ｄ１−２）の２つの組み合わせを設定することができる。かかる組み合わせにおいて、前者（Ｄ１−１）の場合、羽根部１２の開放から磁力の供給までが短時間で行われる故、速い速度で通過した遊技球から遅い速度で通過した遊技球まで、すなわち導入部１５における通過速度に関係なくほとんど全ての遊技球を円盤状体１４に吸着させることができる。しかし、円盤状体１４に磁力が供給されている時間Ｔ21は、球排出開口１５ｃから当り受入部１８の近傍にまで移動するのに要する時間に等しく設定されていることから、導入部１５を速い速度で通過して早期に円盤状体１４に吸着された遊技球のみが当り受入部１８に到達できる。
【００３８】
一方、後者（Ｄ１−２）の場合、羽根部１２の開放から円盤状体１４に磁力が供給される時間が導入部１５における遊技球の平均的な通過時間Ｔ12に設定されていることから、高速で導入部１５を通過した遊技球は円盤状体１４に吸着されない。また、円盤状体１４に磁力が供給されている時間をＴ21としていることから、Ｄ１−２の条件では、導入部１５を平均的な速度で通過した遊技球のみが、当り受入部１８に到達できる。ここで、導入部１５を通過する遊技球の速度分布において平均速度にピークがある場合、Ｄ１−２の条件は、Ｄ１−１の条件に比べて、当り受入部１８へ遊技球を到達させる確率が高い有利な条件となる。
【００３９】
Ｔ2をＴ22に設定して固定した場合、羽根部１２が開放されてから、Ｔ12経過後に磁性吸着領域に磁力が供給されるという組み合わせ（Ｄ１−３）、およびＴ11経過後に磁性吸着領域に磁力が供給されるという組み合わせ（Ｄ１−４）の２つの組み合わせを設定することができる。かかる組み合において、Ｔ22は遊技球が球排出開口１５ｃから当り受入部１８の近傍にまで移動するのに要する時間よりも充分に長く設定されていることから、羽根部１２が開放を開始してから早い段階で円盤状体１４上に磁力を供給する条件がより多くの遊技球を当り受入部１８へ到達させることができる有利な条件となる。すなわち、Ｄ１−４の条件の方が、Ｄ１−３の条件に比べて有利な条件となる。
【００４０】
以上のように、第２の駆動手段を動作させるまでの時間と動作を維持する時間とを組み合わせることによって、遊技球の振分け結果を変更することができる。また、かかる条件の設定をランダムに変更することによって、振分け結果を予想することがより困難になる。
【００４１】
（実施例２）
搬送部は、支持板と遊技球の押出し部材とを含むこととしても良い。たとえば、図９および図１０に示す如く、搬送部３０は、遊技球を支持しかつ円状に形成された円状板３１と、円状板３１の中心に回動自在に配置されている中心軸３２ａおよび中心軸３２ａから放射状に伸長しかつ円状板３１の上方に配置されている複数の押出片３２ｂを含む回転部材３２と、を含んでいる。なお、図１０中、説明を簡単にするために、当り受入部１８および外れ排出部１９の双方を省略している。
【００４２】
円状板３１は、支持板として作用し、円中心から周縁に向かって遊技球が転がることができるように傾斜面３１ａを有している。回転部材３２は、押出し部材として作用し、円状板３１上の遊技球を回転方向に押出すことができるようになっている。また、円状板３１は、その周縁部の近傍に配置されかつ円周方向に沿った形状の帯状の磁性吸着領域３１ｂを有している。磁性吸着領域３１ｂは、円環の一部が欠けて「Ｃ」字状となっている。磁性吸着領域３１ｂは、永久磁石２１などの磁力を供給する手段を円状板３１の下方に配置することが出来るようになっている領域であり、円状板３１の当該領域に対応する形状の磁力を供給する手段が配置されている。その他の構成は、上記した実施例１の振分け機構１３とほぼ同様の構成となっている。
【００４３】
円状板３１の周縁の近傍でありかつ磁性吸着領域３１ｂの一方の端部の近傍には、導入部１５の球排出開口１５ｃが配置されている。磁性吸着領域３１ｂに磁力が供給されている場合、球排出開口１５ｃから供給された遊技球は、当該領域に吸着される。かかる遊技球は、回転部材３２の押出片３２ｂによって回転方向（反時計回り）に押出される。ここで、磁性吸着領域に磁力が供給されている限り、遊技球は円状板３１の傾斜面３１ａから転落せずに、円状板３１に吸着したまま磁性吸着領域に沿って当り受入部１８の近傍にまで移動する。当り受入部１８の近傍に搬送された遊技球は、磁力の供給が停止することによって、若しくは磁性吸着領域の他方の端部にまで到達することによって、当り受入部１８に導かれる。なお、遊技球が当り受入部１８の近傍に到達する前に磁力の供給が停止すると、遊技球は円状板３１から転落して外れ排出部１９の排出球通過開口１９ａを通過することとなる。
【００４４】
かかる構成の搬送部３０によっても、遊技球の振分けは、磁力供給部２０の動作状況に応じて決定されており、円状板３１および回転部材３２の形状に応じて振分け先が規定されていない。従って、遊技球が搬送部３０に供給された時点においては、遊技球の振分け先を予測することが困難になっている。
【００４５】
なお、磁力供給部は、永久磁石の代替として電磁石を用いることとしても良い。例えば、図１１に示す如く、電磁石３３は、断面形状がＣ字型となるように円筒の長手方向にスリットが設けられた半筒状のコア３４と、コア３４に巻回されたコイル３５と、を含む。コイル３５に電流を流すと、コア３４は磁化されて、コア３４の端部３４ａ，３４ｂは磁極端部となる。コイル３５は電流供給手段（図示せず）と接続しており、該電流供給手段は遊技機の電子制御装置（図示せず）からの制御信号に応じてコイル３５への電流の入力開始および停止を行う。
【００４６】
かかる電磁石３３を用いた場合、磁性吸着領域３１ｂに対する磁力の供給は、コイル３５に対する電流のオン／オフ制御によって行われる。従って、電磁石３３を有する磁力供給部２０は、電磁石３３を上下に昇降させる駆動手段を設けなくても良い。その結果、振分け機構の構成を単純にすることができる。
【図面の簡単な説明】
【００４７】
【図１】本発明による遊技球の振分け機構を備えた遊技機の外観斜視図である。
【図２】本発明による遊技球の振分け機構の概略外観斜視図である。
【図３】本発明による遊技球の振分け機構の概略上面図である。
【図４】図３に示す遊技球の振分け機構のＡ−Ａ線断面図である。
【図５】図３に示す遊技球の振分け機構のＡ−Ａ線断面図である。
【図６】本発明による遊技球の振分け機構の動きを説明するための概略上面図であ          る。
【図７】本発明による遊技球の振分け機構の動作を説明するためのフローチャート          である。
【図８】本発明による遊技球の振分け機構の動作を説明するためのタイムチャート          である。
【図９】本発明による遊技球の振分け機構の変形例を示す概略上面図である。
【図１０】図９に示す遊技球の振分け機構のＢ−Ｂ線断面図である。
【図１１】本発明による遊技球の振分け機構の磁力供給部における電磁石の概略斜          視図（ａ）および概略断面図（ｂ）である。
【符号の説明】
【００４８】
１  遊技機
１３  振分け機構
１４  円盤状体
１４ａ  溝部
１４ｂ  底部
１４ｃ，３１ｂ  磁性吸着領域
１５  導入部
１５ａ  傾斜樋状部
１５ｂ  鉛直筒状部
１５ｃ  球排出開口
１６、３０  搬送部
１７  ベース
１８  当り受入部
１８ａ  受入球通路
１８ｂ  傾斜部
１８ｃ  受入球通過開口
１９  外れ排出部
１９ａ  排出球通過開口
２０  磁力供給部
２１  永久磁石
２２  磁石支持部
２３  第１の駆動手段
２４  ソレノイド
２４ａ  心棒
２４ｂ  ケース
２５  電子制御装置
２６  回転連結軸
２７  第２の駆動手段
２８  球検知センサ
２９ａ  第１タイマー
２９ｂ  第２タイマー
３１  円状板
３１ａ  傾斜面
３２  回転部材
３２ａ  中心軸
３２ｂ  押出片
３３  電磁石
３４  コア
３４ａ，３４ｂ  端部
３５  コイル
【図１】
2006334091.tif 000003
【図２】
2006334091.tif 000004
【図３】
2006334091.tif 000005
【図４】
2006334091.tif 000006
【図５】
2006334091.tif 000007
【図６】
2006334091.tif 000008
【図７】
2006334091.tif 000009
【図８】
2006334091.tif 000010
【図９】
2006334091.tif 000011
【図１０】
2006334091.tif 000012
【図１１】
2006334091.tif 000013